(57)【要約】【課題】  漏洩光の発生を防止できる波長多重伝送装置，漏洩光防止方法および波長多重通信システムを提供することを目的とする。【解決手段】  入射光の光パワーレベルを調整して出力するレベル調整手段５Ａと、レベル調整手段５Ａから出力される出射光の光パワーレベルを監視し、出射光の光パワーレベルが一定になるようにレベル調整手段５Ａを制御する一方、出射光の光パワーレベルが断検出閾値以下となったときに断状態に遷移して、レベル調整手段５Ａが入射光に所定の光損失を与えるようにレベル調整手段５Ａを制御する制御手段１０Ａとを有し、制御手段１０Ａは、出射光の光パワーレベルが回復閾値以上、且つ上流の波長多重伝送装置が断状態でないという条件を満たしたときに、断状態から回復することで上記課題を解決する。【選択図】  図７
2006279878.tif 000002
【特許請求の範囲】
【請求項１】
入射光の光パワーレベルを調整して出力するレベル調整手段と、
前記レベル調整手段から出力される出射光の光パワーレベルを監視し、前記出射光の光パワーレベルが一定になるように前記レベル調整手段を制御する一方、前記出射光の光パワーレベルが断検出閾値以下となったときに断状態に遷移して、前記レベル調整手段が入射光に所定の光損失を与えるように前記レベル調整手段を制御する制御手段とを有し、
前記制御手段は、出射光の光パワーレベルが回復閾値以上、且つ上流の波長多重伝送装置が断状態でないという条件を満たしたときに、断状態から回復することを特徴とする波長多重伝送装置。
【請求項２】
前記制御手段は、前記出射光の光パワーレベルが断検出閾値以下となったときに、下流の波長多重伝送装置に断状態になったことを通知することを特徴とする請求項１記載の波長多重伝送装置。
【請求項３】
前記制御手段は、前記出射光の光パワーレベルが所定時間内に所定量以上減少したときに断状態に遷移して、前記レベル調整手段が入射光に所定の光損失を与えるように前記レベル調整手段を制御することを特徴とする請求項１又は２記載の波長多重伝送装置。
【請求項４】
波長多重伝送装置における漏洩光防止方法であって、
入射光の光パワーレベルを調整して出力するステップと、
前記出力される出射光の光パワーレベルを監視するステップと、
前記出射光の光パワーレベルが一定になるように前記レベル調整手段を制御するステップと、
前記出射光の光パワーレベルが断検出閾値以下となったときに断状態に遷移して、前記レベル調整手段が入射光に所定の光損失を与えるように前記レベル調整手段を制御するステップと、
前記出射光の光パワーレベルが回復閾値以上、且つ上流の波長多重伝送装置が断状態でないという条件を満たしたときに、断状態から回復するステップと
を有することを特徴とする漏洩光防止方法。
【請求項５】
複数の波長多重伝送装置で構成される波長多重通信システムであって、
前記波長多重伝送装置は、
入射光の光パワーレベルを調整して出力するレベル調整手段と、
前記レベル調整手段から出力される出射光の光パワーレベルを監視し、前記出射光の光パワーレベルが一定になるように前記レベル調整手段を制御する一方、前記出射光の光パワーレベルが断検出閾値以下となったときに断状態に遷移して、前記レベル調整手段が入射光に所定の光損失を与えるように前記レベル調整手段を制御する制御手段とを有し、
前記制御手段は、出射光の光パワーレベルが回復閾値以上、且つ上流の波長多重伝送装置が断状態でないという条件を満たしたときに、断状態から回復することを特徴とする波長多重通信システム。
【発明の詳細な説明】
【技術分野】
【０００１】
本発明は、波長多重伝送装置，漏洩光防止方法および波長多重通信システムに係り、特に光パワーレベルを調整可能な波長多重伝送装置，漏洩光防止方法および波長多重通信システムに関する。
【背景技術】
【０００２】
例えば波長多重通信システムでは、伝送路や光部品の損失ばらつきや光アンプの利得偏差等により生じる光パワーレベルのばらつきを抑制することが、伝送品質を保つ上で重要である。特に多中継の波長多重通信システムではチルト（光パワーレベルの波長偏差）が累積していき、受信端におけるＯＳＮＲ（光Ｓ／Ｎ比）の波長偏差が増加する。ＯＳＮＲの劣化は、波長多重通信システムのシステム性能に対して伝送可能なスパンロスの減少として影響するため、波長間の光パワーレベルのばらつきを抑制する必要がある。
【０００３】
光パワーレベルのばらつきを抑制する方法としては、光アンプのチルトを制御し、伝送路で発生するチルトと逆方向のチルト補償をかけることで、チルト量を圧縮する方法が考えられる。また、分布ラマン増幅器（Ｄｉｓｔｒｉｂｕｔｅｄ  Ｒａｍａｎ  Ａｍｐｌｉｆｉｅｒ：ＤＲＡ）を用いた波長多重通信システムでは、分布ラマン増幅器の励起光の光パワーレベルを制御してチルト補償をかける方法が考えられる。何れの方法も、一次傾斜の圧縮などチルト全体の抑制に向いている。
【０００４】
図１は、波長多重通信システムを構成するＯＡＤＭノードの一例の構成図である。ＯＡＤＭ（Ｏｐｔｉｃａｌ  Ａｄｄ／Ｄｒｏｐ  Ｍｕｌｔｉｐｌｅｘｉｎｇ）ノードは、波長多重伝送装置の一例である。図１のＯＡＤＭノードでは、光パワーレベルのばらつきを下記のような方法により抑制する。
【０００５】
従来のＯＡＤＭノード（以下、単にノードという）では、受信した信号光を分波器１００で各波長毎に分波する。各波長毎に分波された信号光は、可変光減衰器（Ｖａｒｉａｂｌｅ  Ｏｐｔｉｃａｌ  Ａｔｔｅｎｕａｔｏｒ：ＶＯＡ）１１０で光パワーレベルが調整されたあと、カプラ（ＣＰＬ）１２０を介して合波器１５０に出力される。カプラ１２０は、可変光減衰器１１０の出射光を分波してモニタフォトダイオード（以下、モニタＰＤという）１３０に出力する。
【０００６】
制御回路１４０は、モニタＰＤ１３０を利用して可変光減衰器１１０からの出射光の光パワーレベルを監視し、可変光減衰器１１０からの出射光の光パワーレベルが一定になるように可変光減衰器１１０の減衰量を制御（出力一定制御）する。光パワーレベルのばらつきを抑制する上記のような方法は、チャネル毎に可変光減衰器１１０からの出射光の光パワーレベルを細かく調整可能である。
【０００７】
図２は、ノードの一例の制御フローチャートである。ステップＳ１００に進み、制御回路１４０は可変光減衰器１１０からの出射光の光パワーレベルがＶＯＡ出力目標値Ｌ１となるように可変光減衰器１１０の減衰量を制御する。制御回路１４０は可変光減衰器１１０からの出射光の光パワーレベルが断検出閾値Ｔｈ＿ｄ以下になるまでステップＳ１００の制御を行なう（Ｓ１０１においてＮＯ）。可変光減衰器１１０からの出射光の光パワーレベルが断検出閾値Ｔｈ＿ｄ以下になると（Ｓ１０１においてＹＥＳ）、制御回路１４０は入力信号光断と判断し、断状態に遷移する。
【０００８】
断状態に遷移すると、制御回路１４０は可変光減衰器１１０の減衰量が断状態時固定減衰量Ａ１となるように可変光減衰器１１０を制御する。断状態時固定減衰量Ａ１は、入力信号光復帰時に入力信号光を検出可能な減衰量とする。可変光減衰器１１０からの出射光の光パワーレベルが回復閾値Ｔｈ＿ｒ以上になると（Ｓ１０３においてＹＥＳ）、制御回路１４０は断状態から回復し、ステップＳ１００の処理に戻る。即ち、制御回路１４０は可変光減衰器１１０からの出射光の光パワーレベルがＶＯＡ出力目標値Ｌ１となるように可変光減衰器１１０の減衰量を制御する。
【０００９】
特許文献１には、ノード内の可変光減衰器が、ばらつきを抑制する機能を持ち、障害時に光サージなどが発生しないように、自律的に制御を行なう技術が開示されている。
【特許文献１】特開２００４−７０５８号公報
【発明の開示】
【発明が解決しようとする課題】
【００１０】
図１に示したノードの構成では、可変光減衰器１１０の前段にカプラを配置していないため、ノード内のレベルダイアの改善、コストダウン又はサイズの縮小を図れる利点があるが、以下の問題点もある。
【００１１】
例えば伝送路の損失が大きい場合、ノードはプリアンプ９０の利得を増加させる必要がある。したがって、ノードの発生する自然放出光（Ａｍｐｌｉｆｉｅｄ  Ｓｐｏｎｔａｎｅｏｕｓ  Ｅｍｉｓｓｉｏｎ：ＡＳＥ）は増加してしまう。伝送路の損失が大きく、多中継の波長多重通信システムの場合、ノードで発生する自然放出光は大きく、且つ累積されてしまう。この結果、下流のノードでは信号光が回復しなくても自然放出光のみで、可変光減衰器１１０からの出射光の光パワーレベルが回復閾値Ｔｈ＿ｒ以上となってしまう場合があった。
【００１２】
図３は、多中継の波長多重通信システムで自然放出光が累積される様子を表した説明図である。図３（ａ）は合波器１５０−１で合波された信号光を表している。図３（ｂ）はポストアンプ１６０−１及びプリアンプ９０−ｍで増幅されたときに自然放出光が加わった信号光を表している。
【００１３】
信号光に加わった自然放出光は、分波器１００−ｍおよび合波器１５０−ｍを通過する際に、信号波長を除いてフィルタリングされる。図３（ｃ）は分波器１００−ｍ及び合波器１５０−ｍにより自然放出光がフィルタリングされた信号光を表している。ただし、図３（ｃ）に表されるように信号光の無いチャネルには自然放出光のこぶが残っている。図３（ｄ）はポストアンプ１６０−ｍで増幅されたときに自然放出光が加わった信号光を表している。
【００１４】
自然放出光のこぶは、ノードを通過する度に累積していき、自然放出光の光パワーレベルが回復閾値Ｔｈ＿ｒ以上となってしまう場合があった。自然放出光の光パワーレベルが回復閾値Ｔｈ＿ｒ以上になると、制御回路１４０は断状態から回復し、可変光減衰器１１０からの出射光の光パワーレベルがＶＯＡ出力目標値Ｌ１となるように可変光減衰器１１０の減衰量を制御する。即ち、可変光減衰器１１０は開放され、自然放出光が過剰に透過して漏洩光が発生する。図３（ｅ）は、漏洩光および信号光を表している。
【００１５】
図１に示したノードの構成では、漏洩光の発生により以下の問題点があった。第１に漏洩光は、波長増設時にサージを発生させるという問題があった。例えば漏洩光の発生時には可変光減衰器１１０の出力一定制御により可変光減衰器１１０が開放される。漏洩光の発生しているチャネルに信号光が増設された場合、ノードでは可変光減衰器１１０の減衰量が再設定されるまでの間、可変光減衰器１１０による光パワーレベルの調整が適切に行われずにサージが発生する。
【００１６】
第２に漏洩光は、プリアンプ９０およびポストアンプ１６０の出力一定制御における出力設定値にずれを生じさせるという問題があった。例えばプリアンプ９０およびポストアンプ１６０の出力一定制御では、漏洩光が加わることで出力値がずれる。波長数分の利得設定を行なった場合、漏洩光が加わった分だけ１波長あたりの光パワーレベルが低下してしまう。また、出力一定制御の方法によっては漏洩光を１波長として認識し、信号光の数と漏洩光の数とを加算した数だけ利得設定を行なうことも考えられるが、信号光の１波長分の光パワーレベルと漏洩光の光パワーレベルとの差分だけ出力値に誤差が生じる。
【００１７】
図４は、漏洩光および信号光を表した波形図である。図４の波形図では、信号光の無い未使用チャネルの一部に漏洩光が発生している。図５は、可変光減衰器１１０における通常時の入射光、出射光および光損失の一例のレベル遷移を表している。図６は、可変光減衰器１１０における漏洩光発生時の入射光、出射光および光損失の一例のレベル遷移を表している。図６は、自然放出光により断状態から回復した例である。
【００１８】
図６（ａ）に示すように、信号光の無い未使用チャネルであっても、可変光減衰器１１０への入射光は自然放出光が加わった分だけ図５（ａ）に示したよりも光パワーレベルの低下が少ない。このため、図６（ｂ）に示すように、可変光減衰器１１０からの出射光は光パワーレベルが回復閾値Ｔｈ＿ｒ以上となるため、断状態から回復してしまう。図６に示すように、図１に示したノードでは自然放出光の累積により可変光減衰器１１０の制御が正常に行われず、回復時に過大なサージが発生する危険性があった。
【００１９】
本発明は、上記の点に鑑みなされたもので、漏洩光の発生を防止できる波長多重伝送装置，漏洩光防止方法および波長多重通信システムを提供することを目的とする。
【課題を解決するための手段】
【００２０】
上記課題を解決するため、本発明の波長多重伝送装置は、入射光の光パワーレベルを調整して出力するレベル調整手段と、前記レベル調整手段から出力される出射光の光パワーレベルを監視し、前記出射光の光パワーレベルが一定になるように前記レベル調整手段を制御する一方、前記出射光の光パワーレベルが断検出閾値以下となったときに断状態に遷移して、前記レベル調整手段が入射光に所定の光損失を与えるように前記レベル調整手段を制御する制御手段とを有し、前記制御手段は、出射光の光パワーレベルが回復閾値以上、且つ上流の波長多重伝送装置が断状態でないという条件を満たしたときに、断状態から回復することを特徴とする。
【００２１】
本発明は、波長多重伝送装置における漏洩光防止方法であって、入射光の光パワーレベルを調整して出力するステップと、前記出力される出射光の光パワーレベルを監視するステップと、前記出射光の光パワーレベルが一定になるように前記レベル調整手段を制御するステップと、前記出射光の光パワーレベルが断検出閾値以下となったときに断状態に遷移して、前記レベル調整手段が入射光に所定の光損失を与えるように前記レベル調整手段を制御するステップと、前記出射光の光パワーレベルが回復閾値以上、且つ上流の波長多重伝送装置が断状態でないという条件を満たしたときに、断状態から回復するステップとを有することを特徴とする。
【００２２】
本発明は、複数の波長多重伝送装置で構成される波長多重通信システムであって、前記波長多重伝送装置は、入射光の光パワーレベルを調整して出力するレベル調整手段と、前記レベル調整手段から出力される出射光の光パワーレベルを監視し、前記出射光の光パワーレベルが一定になるように前記レベル調整手段を制御する一方、前記出射光の光パワーレベルが断検出閾値以下となったときに断状態に遷移して、前記レベル調整手段が入射光に所定の光損失を与えるように前記レベル調整手段を制御する制御手段とを有し、前記制御手段は、出射光の光パワーレベルが回復閾値以上、且つ上流の波長多重伝送装置が断状態でないという条件を満たしたときに、断状態から回復することを特徴とする。
【００２３】
本発明では、出射光の光パワーレベルが回復閾値以上、且つ上流の波長多重伝送装置が断状態でないという条件を満たしたときに断状態から回復することにより、自然放出光による断状態からの回復を防ぎ、漏洩光の発生を防止できる。
【発明の効果】
【００２４】
上述の如く、本発明によれば、漏洩光の発生を防止できる波長多重伝送装置，漏洩光防止方法および波長多重通信システムを提供可能である。
【発明を実施するための最良の形態】
【００２５】
次に、本発明を実施するための最良の形態を、以下の実施例に基づき図面を参照しつつ説明していく。なお、本実施例では波長多重伝送装置の一例としてＯＡＤＭノードを例に説明する。
【実施例１】
【００２６】
図７は波長多重通信システムを構成するＯＡＤＭノードの一実施例の構成図である。図７は波長多重通信システムの一部であるＯＡＤＭノードＡ（以下、ノードＡという）及びＯＡＤＭノードＢ（以下、ノードＢという）を表している。図７のノードＡは、プリアンプ１Ａ，分波器２Ａ，カプラ３Ａ，スイッチ４Ａ，可変光減衰器５Ａ，カプラ６Ａ，合波器７Ａ，ポストアンプ８Ａ，モニタＰＤ９Ａ及び制御回路１０Ａを含む構成である。図７のノードＢは、プリアンプ１Ｂ，分波器２Ｂ，カプラ３Ｂ，スイッチ４Ｂ，可変光減衰器５Ｂ，カプラ６Ｂ，合波器７Ｂ，ポストアンプ８Ｂ，モニタＰＤ９Ｂ及び制御回路１０Ｂを含む構成である。なお、ノードＡ及びノードＢの構成及び動作は同様である。
【００２７】
図７のノードＡは、伝送路から受信した信号光を、プリアンプ１Ａ，分波器２Ａ，カプラ３Ａ，スイッチ４Ａ，可変光減衰器５Ａ，カプラ６Ａ，合波器７Ａ，ポストアンプ８Ａ経由で伝送路に出力する。ノードＡは、カプラ６Ａで分岐した信号光をモニタＰＤ９Ａに出力する。モニタＰＤ９Ａは、信号光の光パワーレベルに基づく電圧を制御回路１０Ａに出力する。制御回路１０ＡはモニタＰＤ９Ａから受信した、信号光の光パワーレベルに基づく電圧を監視し、後述するように可変光減衰器５Ａの減衰量を制御する。制御回路１０Ａは、可変光減衰器５Ａからの出射光の光パワーレベルがＶＯＡ出力目標値Ｌ１になるように可変光減衰器５Ａの減衰量を制御する。
【００２８】
プリアンプ１Ａは、伝送路から受信した信号光を増幅し、分波器２Ａに出力する。分波器２Ａは、増幅後の信号光を各波長毎に分波する。各波長毎に分波された信号光は、各波長毎に設けられている経路に出力される。経路は、カプラ３Ａ，スイッチ４Ａ，可変光減衰器５Ａ，カプラ６Ａ，モニタＰＤ９Ａ及び制御回路１０Ａを含む構成である。各波長毎に分波された信号光は可変光減衰器５Ａで光パワーレベルが調整されたあと、カプラ６Ａを介して合波器７Ａに出力される。合波器７Ａは、各波長毎の信号光を合波してポストアンプ８Ａに出力する。ポストアンプ８Ａは、受信した信号光を増幅し、伝送路に出力している。
【００２９】
ここで、制御回路１０Ａの制御手順について、図８の制御フローチャートを参照しつつ説明していく。図８は、制御回路１０Ａの制御手順を表した一例の制御フローチャートである。
【００３０】
ステップＳ１に進み、制御回路１０Ａは可変光減衰器５Ａからの出射光の光パワーレベルがＶＯＡ出力目標値Ｌ１となるように可変光減衰器５Ａの減衰量を制御する。制御回路１０Ａは可変光減衰器５Ａからの出射光の光パワーレベルが断検出閾値Ｔｈ＿ｄ以下になるまでステップＳ１の制御を行なう（Ｓ２においてＮＯ）。可変光減衰器５Ａからの出射光の光パワーレベルが断検出閾値Ｔｈ＿ｄ以下になると（Ｓ２においてＹＥＳ）、制御回路１０Ａは入力信号光断と判断し、断状態に遷移する。
【００３１】
断状態に遷移すると、制御回路１０ＡはステップＳ３に進み、可変光減衰器５Ａの減衰量が断状態時固定減衰量Ａ１となるように可変光減衰器５Ａを制御する。断状態時固定減衰量Ａ１は、入力信号光復帰時に入力信号光を検出可能な減衰量とする。ステップＳ４に進み、制御回路１０Ａは下流のノード（例えばノードＢ）に断状態を通知する。制御回路１０Ａは、ＯＳＣ（Ｏｐｔｉｃａｌ  Ｓｕｐｅｒｖｉｓｏｒｙ  Ｃｈａｎｎｅｌ）を経由して下流のノードに断状態を通知できる。
【００３２】
可変光減衰器５Ａからの出射光の光パワーレベルが回復閾値Ｔｈ＿ｒ以上になると（Ｓ５においてＹＥＳ）、制御回路１０ＡはステップＳ６に進み、自身が最上位のノードであるか否かを判定する。最上位のノードであると判定すると（Ｓ６においてＹＥＳ）、制御回路１０ＡはステップＳ７に進み、下流のノードに断状態からの回復を通知する。制御回路１０Ａは、ＯＳＣを経由して下流のノードに断状態からの回復を通知できる。そして、制御回路１０ＡはステップＳ１の処理に戻る。即ち、制御回路１０Ａは可変光減衰器５Ａからの出射光の光パワーレベルがＶＯＡ出力目標値Ｌ１となるように可変光減衰器５Ａの減衰量を制御する。
【００３３】
一方、最上位のノードでないと判定すると（Ｓ６においてＮＯ）、制御回路１０ＡはステップＳ８に進み、上流にあるノードが断状態から回復しているか否かを判定する。上流にあるノードが断状態から回復していると判定すると（Ｓ８においてＹＥＳ）、制御回路１０ＡはステップＳ７に進む。なお、上流にあるノードが断状態から回復していないと判定すると（Ｓ８においてＮＯ）、制御回路１０ＡはステップＳ５に進む。
【００３４】
図８の制御フローチャートに示したように、本発明によるノードは、可変光減衰器５Ａからの出射光の光パワーレベルが回復閾値Ｔｈ＿ｒ以上である、上流にあるノードが断状態でないという２つの条件を満たしたとき、断状態から回復する。したがって、本発明によるノードは、自然放出光の累積により可変光減衰器５Ａからの出射光の光パワーレベルが回復閾値Ｔｈ＿ｒ以上となったとしても断状態が保持されるため、漏洩光の発生を防止できる。
【００３５】
なお、最上位のノードは、可変光減衰器５Ａからの出射光の光パワーレベルが回復閾値Ｔｈ＿ｒ以上であるという条件を満たしたとき、断状態から回復する。ここで、最上位のノードとは光信号が加えられるノードをいう。最上位のノードでは、モニタＰＤ９Ａが受信する信号光に自然放出光が加わることがなく、漏洩光が発生することはない。
【実施例２】
【００３６】
実施例１のノードでは、断状態となったあと、自然放出光の光パワーレベルによって断状態が解除される現象を防げるが、累積した自然放出光により可変光減衰器５Ａからの出射光の光パワーレベルが図９に示すように、断検出閾値Ｔｈ＿ｄ以下にならない場合が考えられる。
【００３７】
図９は、可変光減衰器５Ａにおける入射光、出射光および光損失の一例のレベル遷移を表している。図９（ａ）に示すように、信号光の無い未使用チャネルであっても、可変光減衰器５Ａへの入射光は累積した自然放出光が加わった分だけ図５（ａ）に示したよりも光パワーレベルの低下が少ない。このため、図９（ｂ）に示すように、可変光減衰器５Ａからの出射光は光パワーレベルが断検出閾値Ｔｈ＿ｄ以上となるため、断状態に遷移することができない。そこで、実施例２のノードでは、ノード毎に光パワーレベルの急激な減少を感知する機能を持たせ、光パワーレベルが急激に減少した場合に断状態に遷移できるようにする。
【００３８】
なお、実施例２のノードの構成は、実施例１のノードと同様であるため、図７を利用して説明する。ここで、実施例２のノードに含まれる制御回路１０Ａの制御手順について図１０の制御フローチャートを参照しつつ説明していく。図１０は、制御回路１０Ａの制御手順を表した一例の制御フローチャートである。
【００３９】
ステップＳ１０に進み、制御回路１０Ａは可変光減衰器５Ａからの出射光の光パワーレベルがＶＯＡ出力目標値Ｌ１となるように可変光減衰器５Ａの減衰量を制御する。ステップＳ１１に進み、制御回路１０Ａは可変光減衰器５Ａからの出射光の光パワーレベルが断検出閾値Ｔｈ＿ｄ以下であるか否かを判定する。
【００４０】
可変光減衰器５Ａからの出射光の光パワーレベルが断検出閾値Ｔｈ＿ｄ以下でないと判定すると（Ｓ１１においてＮＯ）、制御回路１０ＡはステップＳ１２に進み、可変光減衰器５Ａからの出射光の光パワーレベルが急激に減少したか否かを判定する。可変光減衰器５Ａからの出射光の光パワーレベルが急激に減少していないと判定すると（Ｓ１２においてＮＯ）、制御回路１０ＡはステップＳ１０の処理に戻る。
【００４１】
可変光減衰器５Ａからの出射光の光パワーレベルが断検出閾値Ｔｈ＿ｄ以下になったと判定したとき（Ｓ１１においてＹＥＳ）、及び可変光減衰器５Ａからの出射光の光パワーレベルが急激に減少したと判定したとき（Ｓ１２においてＹＥＳ）、制御回路１０Ａは入力信号光断と判断し、断状態に遷移する。
【００４２】
断状態に遷移したあとのステップＳ１３〜Ｓ１８の処理は、図８のステップＳ３〜Ｓ８の処理と同様であるため、説明を省略する。図１０の制御フローチャートに示したように本発明によるノードは、累積した自然放出光により可変光減衰器５Ａからの出射光の光パワーレベルが図９に示すように断検出閾値Ｔｈ＿ｄ以下にならない場合であっても断状態に遷移できる。
【００４３】
可変光減衰器５Ａからの出射光の光パワーレベルの急激な減少の検出は、モニタＰＤ９Ａが受信する信号光の光パワーレベルに基づく電圧を継続して監視し、光パワーレベルの減少速度が一定の閾値（例えば、５ｄＢ／３ｍｓや１０ｄＢ／５００μｓなど）を超えた場合に、光パワーレベルが急激に減少したと判定する。
【００４４】
したがって、実施例２のノードでは、累積した自然放出光により可変光減衰器５Ａからの出射光の光パワーレベルが図９に示すように、断検出閾値Ｔｈ＿ｄ以下にならない場合であっても確実に断状態に遷移できるため、漏洩光の発生を防止できる。
【実施例３】
【００４５】
図７のＯＡＤＭノードは、図１１のような構成とすることもできる。図１１は、波長多重通信システムを構成するＯＡＤＭノードの他の実施例の構成図である。図１１は、波長多重通信システムの一部であるＯＡＤＭノード（以下、ノードという）を表している。図１１のノードは、プリアンプ１，分波器２，カプラ３，スイッチ４，可変光減衰器５，カプラ６，合波器７，ポストアンプ８，制御回路１０及び周波数分析ユニット（Ｓｐｅｃｔｒｕｍ  Ａｎａｌｙｚｅｒ  Ｕｎｉｔ：ＳＡＵ）１１を含む構成である。
【００４６】
図１１のノードは、カプラ６が合波器７の後段に設けられている点、カブラ６と制御回路１０との間に周波数分析ユニット１１が設けられている点が、図６のノードの構成と異なっている。
【００４７】
つまり、図１１のノードはチャネル毎に設けていたモニタＰＤ９Ａの代わりに、合波器７の後段にカプラ６及び周波数分析ユニット１１を設けている。図１１のノードは、カプラ６で分岐した信号光を周波数分析ユニット１１に出力する。周波数分析ユニット１１は信号光の光パワーレベルに基づく電圧を制御回路１０に出力する。制御回路１０は周波数分析ユニット１１から受信した、信号光の光パワーレベルに基づく電圧を監視し、実施例１又は実施例２で説明したように可変光減衰器５の減衰量を制御する。
【００４８】
したがって、実施例３のノードでは、自然放出光の累積により可変光減衰器５からの出射光の光パワーレベルが回復閾値Ｔｈ＿ｒ以上になっても断状態が保持されるため、漏洩光の発生を防止できる。また、累積した自然放出光により可変光減衰器５からの出射光の光パワーレベルが断検出閾値Ｔｈ＿ｄ以下にならない場合であっても確実に断状態に遷移できるため、漏洩光の発生を防止できる。
【実施例４】
【００４９】
実施例１〜３のノードでは、ＯＳＣを経由して下流のノードに断状態を通知する。しかしながら、ＯＳＣはノード毎に光終端を行なうため、多中継の波長多重通信システムであるときに断状態および回復の通知が信号光の断状態および回復の状態変化に間に合わない場合がある。例えば実施例１〜３のノードでは、ＯＳＣによる情報伝達の前に断状態から回復し、漏洩光が瞬間的に発生する可能性があった。ところで、漏洩光は自然放出光が累積する下流のノードで発生し易い。
【００５０】
そこで、図１２のようなリング構成の波長多重通信システムでは、ＯＳＣによる断状態および回復の通知を図１２（ａ）のように順方向のみでなく、図１２（ｂ）のように順方向および逆方向にも行なうようにする。図１２は、リング構成の波長多重通信システムを表した一例の構成図である。
【００５１】
図１２はノードＩが断状態に遷移した例を表している。図１２（ａ）では、断状態の通知が順方向（反時計回り）のみ行われている。図１２（ｂ）では、断状態の通知が順方向および逆方向（時計回り）に行われている。実施例４のノードでは、ＯＳＣによる断状態および回復の通知を順方向及び逆方向の双方向から行なうことにより、情報伝達が速くなるため、漏洩光の瞬間的な発生を防止できる。
【００５２】
本発明は、以下に記載する付記のような構成が考えられる。
（付記１）
入射光の光パワーレベルを調整して出力するレベル調整手段と、
前記レベル調整手段から出力される出射光の光パワーレベルを監視し、前記出射光の光パワーレベルが一定になるように前記レベル調整手段を制御する一方、前記出射光の光パワーレベルが断検出閾値以下となったときに断状態に遷移して、前記レベル調整手段が入射光に所定の光損失を与えるように前記レベル調整手段を制御する制御手段とを有し、
前記制御手段は、出射光の光パワーレベルが回復閾値以上、且つ上流の波長多重伝送装置が断状態でないという条件を満たしたときに、断状態から回復することを特徴とする波長多重伝送装置。
（付記２）
前記制御手段は、前記出射光の光パワーレベルが断検出閾値以下となったときに、下流の波長多重伝送装置に断状態になったことを通知することを特徴とする付記１記載の波長多重伝送装置。
（付記３）
前記制御手段は、前記出射光の光パワーレベルが所定時間内に所定量以上減少したときに断状態に遷移して、前記レベル調整手段が入射光に所定の光損失を与えるように前記レベル調整手段を制御することを特徴とする付記１又は２記載の波長多重伝送装置。
（付記４）
複数の前記レベル調整手段から出力される複数の出射光を合波して出力する合波手段の後段に、前記合波手段から出力される出射光の光パワーレベルを分析する周波数分析手段を更に有し、
前記周波数分析手段は、前記合波手段から出力される出射光の光パワーレベルを前記制御手段に通知することを特徴とする付記１乃至３何れか一項記載の波長多重伝送装置。
（付記５）
他の波長多重伝送装置とリング構成のネットワークを構成しているとき、前記制御手段は前記出射光の光パワーレベルが断検出閾値以下となったときに、リングの順方向および逆方向の伝送路を用いて前記他の波長多重伝送装置に断状態になったことを通知することを特徴とする付記１乃至４何れか一項記載の波長多重伝送装置。
（付記６）
波長多重伝送装置における漏洩光防止方法であって、
入射光の光パワーレベルを調整して出力するステップと、
前記出力される出射光の光パワーレベルを監視するステップと、
前記出射光の光パワーレベルが一定になるように前記レベル調整手段を制御するステップと、
前記出射光の光パワーレベルが断検出閾値以下となったときに断状態に遷移して、前記レベル調整手段が入射光に所定の光損失を与えるように前記レベル調整手段を制御するステップと、
前記出射光の光パワーレベルが回復閾値以上、且つ上流の波長多重伝送装置が断状態でないという条件を満たしたときに、断状態から回復するステップと
を有することを特徴とする漏洩光防止方法。
（付記７）
複数の波長多重伝送装置で構成される波長多重通信システムであって、
前記波長多重伝送装置は、
入射光の光パワーレベルを調整して出力するレベル調整手段と、
前記レベル調整手段から出力される出射光の光パワーレベルを監視し、前記出射光の光パワーレベルが一定になるように前記レベル調整手段を制御する一方、前記出射光の光パワーレベルが断検出閾値以下となったときに断状態に遷移して、前記レベル調整手段が入射光に所定の光損失を与えるように前記レベル調整手段を制御する制御手段とを有し、
前記制御手段は、出射光の光パワーレベルが回復閾値以上、且つ上流の波長多重伝送装置が断状態でないという条件を満たしたときに、断状態から回復することを特徴とする波長多重通信システム。
【００５３】
本発明は、具体的に開示された実施例に限定されるものではなく、特許請求の範囲から逸脱することなく、種々の変形や変更が可能である。
【図面の簡単な説明】
【００５４】
【図１】波長多重通信システムを構成するＯＡＤＭノードの一例の構成図である。
【図２】ノードの一例の制御フローチャートである。
【図３】多中継の波長多重通信システムで自然放出光が累積される様子を表した説明図である。
【図４】漏洩光および信号光を表した波形図である。
【図５】可変光減衰器における通常時の入射光、出射光および光損失の一例のレベル遷移を表している。
【図６】可変光減衰器における漏洩光発生時の入射光、出射光および光損失の一例のレベル遷移を表している。
【図７】波長多重通信システムを構成するＯＡＤＭノードの一実施例の構成図である。
【図８】制御回路の制御手順を表した一例の制御フローチャートである。
【図９】可変光減衰器における入射光、出射光および光損失の一例のレベル遷移を表している。
【図１０】制御回路の制御手順を表した一例の制御フローチャートである。
【図１１】波長多重通信システムを構成しているＯＡＤＭノードの他の実施例の構成図である。
【図１２】リング構成の波長多重通信システムを表した一例の構成図である。
【符号の説明】
【００５５】
１，１Ａ，１Ｂ    プリアンプ
２，２Ａ，２Ｂ    分波器
３，３Ａ，３Ｂ    カプラ
４，４Ａ，４Ｂ    スイッチ
５，５Ａ，５Ｂ    可変光減衰器
６，６Ａ，６Ｂ    カプラ
７，７Ａ，７Ｂ    合波器
８，８Ａ，８Ｂ    ポストアンプ
９，９Ａ，９Ｂ    モニタフォトダイオード
１０，１０Ａ，１０Ｂ    制御回路
１１    周波数分析ユニット
【図１】
2006279878.tif 000003
【図２】
2006279878.tif 000004
【図３】
2006279878.tif 000005
【図４】
2006279878.tif 000006
【図５】
2006279878.tif 000007
【図６】
2006279878.tif 000008
【図７】
2006279878.tif 000009
【図８】
2006279878.tif 000010
【図９】
2006279878.tif 000011
【図１０】
2006279878.tif 000012
【図１１】
2006279878.tif 000013
【図１２】
2006279878.tif 000014